(57)【要約】【課題】使用回数は、期間を考慮せず累積回数とし、使用した項目の日時登録に一定期間を設け、一定期間を短く設定した場合は、最近使用した設定項目が表示部上で重点的に表示され、一定期間を長く設定した場合は、頻繁に使用した機能項目が重点的に表示される通信装置および通信方法を提供する。【解決手段】特定の機能が使用されたと判断された場合、特定し、使用機能の管理データを更新する。管理データの中に、使用機能の登録日時から任意に設定された期間内の登録日時である機能があるか判別する。使用回数を比較し、並び替えを実施する。該当する機能が無い場合は、使用機能を管理データのＮｏ１に移動する。該当しない機能は管理データをそれぞれ一つ下に移動する。【選択図】図３
2008278252.tif 000002
【特許請求の範囲】
【請求項１】
使用機能のメニュー登録日時と、前記使用機能の使用回数とを参照し、並び替え表示可能な表示手段を有する通信装置であって、
前記使用機能のメニューの使用回数を累積する累積手段と、
前記使用機能のメニュー登録日時の最終更新日時から一定の期間を設定する設定手段とを有し、
前記表示手段は、設定された前記一定の期間内において、前記累積手段で累積した前記使用機能のメニューの使用回数を基に並び替え表示することを特徴とする通信装置。
【請求項２】
前記表示手段は、通常時のメニュー画面と、並び替え後のメニュー画面との双方を同時に表示可能とすることを特徴とする請求項１に記載の通信装置。
【請求項３】
前記設定手段は、ユーザにより、一定期間を任意に設定可能であることを特徴とする請求項１または２に記載の通信装置。
【請求項４】
使用機能のメニュー登録日時と、前記使用機能の使用回数とを参照し、並び替え表示可能な通信方法であって、
前記使用機能のメニューの使用回数を累積し、
前記使用機能の前記メニュー登録日時の最終更新日時から一定の期間を設定し、
設定された前記一定の期間内において、累積した前記使用機能のメニューの使用回数を基に並び替え表示を行うことを特徴とする通信方法。
【請求項５】
前記並び替え表示は、通常時のメニュー画面と、並び替え後のメニュー画面との双方を同時に表示可能とすることを特徴とする請求項４に記載の通信方法。
【請求項６】
前記設定は、ユーザにより、一定期間を任意に設定可能であることを特徴とする請求項４または５に記載の通信方法。
【発明の詳細な説明】
【技術分野】
【０００１】
本発明は、メニュー画面を並び替え表示する通信装置および通信方法に関する。
【背景技術】
【０００２】
近年、携帯電話機は多機能化が進んでおり、メニュー画面から呼び出される機能設定類、ツール類はかなり多く、頻繁に使用されるものからほとんど使用されないものまである。
【０００３】
このため、待ち受け状態から機能を呼び出そうとすると、希望の機能に辿り着くためには操作数と時間がかかってしまう。
【０００４】
また、利便性を考慮し、通常のメニュー画面とは別に、使用順に履歴を残し、履歴から簡単に機能を呼び出すことができるものもある。
【０００５】
さらに、履歴の代わりに、通常メニュー画面とは別のオリジナルのメニュー画面として構成することもある。
【０００６】
ただし、これらは、使用頻度の少ない機能でも一度しようとすれば履歴として残ってしまうため、よく使用する機能が履歴またはメニュー画面から削除されてしまうという問題があった。
【０００７】
上記問題が解決された従来の通信装置の処理について図４、図５で説明する。図４は、従来の通信装置の構成の一例を示すブロック図である。図５は、従来の通信装置における表示項目を示す図である。
【０００８】
特定の機能が使用されたか否かを判別する（ステップ１０１）。使用されたと判断された場合（ステップ１０１／ＹＥＳ）、使用された機能（項目１１）を管理データのＮｏ１に移動する（ステップ１０２）。使用されていないと判断された場合（ステップＳ１０２／ＮＯ）、次の処理に進まない。
【０００９】
ステップＳ１０１の処理後、管理データのＮｏ１に移動後、管理データが使用機能より上段に位置していた機能（項目６・・項目１０の１０項目）をそれぞれ一つ下に移動する（ステップ１０３）。
【００１０】
そして、管理データＮｏ１〜Ｎｏ１０の項目でメニューの再構成を実施する（ステップ１０４）。
【００１１】
メニュー画面の表示としては、機能「項目１１」が使用されたとすると、機能「項目１１」が一番上に追加され、機能「項目６」・・「項目５」の９項目が一つ下に移動される。そして、機能「項目１０」が削除される。
【００１２】
また、ユーザが頻繁に使用するメニュー項目やデータを、少ない操作で選択できるように自動的にカスタマイズする技術を次に開示する。
【００１３】
特許文献１では、ユーザが機能メニューで選択した項目の選択情報を、その項目を含む直下階層項目群の選択履歴情報に追加し更新し、各項目における選択頻度を示す選択率を算出する。そして直下階層項目群の項目数に基づいて、各項目のショートカット生成基準率とショートカット削除基準率とを定め、ある直下階層項目の選択率がショートカット生成基準率を超えている場合、その直下階層項目に遷移するショートカット項目を、ひとつ上の階層に自動生成する。また、ショートカット先の項目の選択率がショートカット削除基準率より小さい場合、１つ上の階層に生成されているこのショートカット項目を自動削除する技術が提案されている。
【００１４】
特許文献２では、どのアイコン（機能）が何回選択されたかを一定期間カウントし、一定期間が過ぎたら、カウント回数が多い順にランク付けをして、ショートカットメニューに追加する。新たに追加されるアイコン（機能）の数だけ、ランクの低かったアイコン（機能）順にショートカットメニューから削除する技術が提案されている。
【００１５】
特許文献３は、コンテンツデータのアクセス頻度を登録するアクセス頻度テーブルに基づいてメニュー画面を生成し、表示部に表示された初期メニュー画面にしたがって希望のコンテンツデータが選択されると、これにリンクされたコンテンツサーバから取得を行い、操作者の利用状況や趣向に応じて最適なメニュー画面を表示して希望する情報を手間なく取得することができるデータ通信装置およびデータ通信システムが提案されている。
【特許文献１】特開２００４−２８７７０２号公報
【特許文献２】特開平１０−１０５３６０号公報
【特許文献３】特開２００１−１３４５２０号公報
【発明の開示】
【発明が解決しようとする課題】
【００１６】
しかしながら、特許文献１、２は、操作者の利用状況や趣向に応じて最適なメニュー画面を表示して希望する情報を手間なく取得することができるものではない。
【００１７】
特許文献３では、使用回数を一定期間内の累積回数とし、期間外の使用回数については示唆されていない。よって期間外で頻繁に使用していた機能項目は表示部上に表示されることはない。
【００１８】
そこで本発明は、使用回数は、期間を考慮せず累積回数とし、使用した項目の日時登録に一定期間を設け、一定期間を短く設定した場合は、最近使用した設定項目が表示部上で重点的に表示され、一定期間を長く設定した場合は、頻繁に使用した機能項目が重点的に表示される通信装置および通信方法の提供を目的とする。
【課題を解決するための手段】
【００１９】
上記の目的を達成するため、本発明の通信装置に係る第１の態様として、使用機能のメニュー登録日時と、前記使用機能の使用回数とを参照し、並び替え表示可能な表示手段を有する通信装置であって、前記使用機能のメニューの使用回数を累積する累積手段と、前記使用機能のメニュー登録日時の最終更新日時から一定の期間を設定する設定手段とを有し、前記表示手段は、設定された前記一定の期間内において、前記累積手段で累積した前記使用機能のメニューの使用回数を基に並び替え表示する通信装置であることを特徴とする。
【００２０】
本発明の通信装置に係る第２の態様として、前記表示手段は、通常時のメニュー画面と、並び替え後のメニュー画面との双方を同時に表示可能とすることを特徴とする。
【００２１】
本発明の通信装置に係る第３の態様として、前記設定手段は、ユーザにより、一定期間を任意に設定可能であることを特徴とする。
【００２２】
本発明の通信方法に係る第１の態様として、使用機能のメニュー登録日時と、前記使用機能の使用回数とを参照し、並び替え表示可能な通信方法であって、前記使用機能のメニューの使用回数を累積し、前記使用機能の前記メニュー登録日時の最終更新日時から一定の期間を設定し、設定された前記一定の期間内において、累積した前記使用機能のメニューの使用回数を基に並び替え表示を行うことを特徴とする。
【００２３】
本発明の通信方法に係る第２の態様として、前記並び替え表示は、通常時のメニュー画面と、並び替え後のメニュー画面との双方を同時に表示可能とすることを特徴とする。
【００２４】
本発明の通信方法に係る第３の態様として、前記設定は、ユーザにより、一定期間を任意に設定可能であることを特徴とする。
【発明の効果】
【００２５】
本発明によれば、機能設定類、ツール類の機能に、登録日時、使用回数の管理データを持ち、機能を使用する毎にこれらの管理データを更新し、使用した機能からユーザで任意に設定された期間内に使用した機能の管理データを参照し比較することにより、登録日時、使用回数による並べ替えを実施し、最近使用した機能、使用頻度の多い機能を、通常のメニュー画面とは別のメニュー画面に表示し、機能呼び出し時の操作性を向上させた通信装置および通信方法の提供を可能とする。
【発明を実施するための最良の形態】
【００２６】
本発明を実施するための好適な実施の形態について説明する。
【００２７】
本実施形態の通信装置について図１、図２を用いて説明する。図１は、本実施形態の通信装置の構成を示すブロック図である。図２は、本実施形態の通信装置の動作を示すフローチャートである。
【００２８】
本実施形態の通信装置は、図１に示すように、通信装置の種々の機能／設定を表示するための表示部１と、ダイヤル操作、機能設定を行うための表示操作部４と、無線基地局との無線接続を行う無線部５と、着信を報知するスピーカ部７と、通話時、音声の入出力を行うレシーバ２、マイク６とを有している。
【００２９】
さらに、機能設定類、ツール類の機能項目を使用する毎に更新される登録日時、使用回数の管理データを保存しておくメモリ部８を有し、これらすべてのブロックを制御している制御部３で構成されている。
【００３０】
（第１実施形態）
次に本実施形態では、上述した通信装置の構成において、具体的な処理動作について図２を用いて説明する。次に説明する本実施形態の通信装置の処理動作は好適な動作を示す一例であり、これに限定されることはなく、趣旨を逸脱しない範囲内において、適宜変更可能であるとする。
【００３１】
なお、本実施形態では一例として、通常メニュー画面とは別のメニュー画面に表示することとし、表示できる項目数を１０項目、機能設定類、ツール類の機能数を１５項目として説明する。
【００３２】
本実施形態中の動作説明の中で、「使用回数」とは、機能を使用した回数を示す。「登録日時」とは、機能を使用した最新の日時を示す。
【００３３】
図２において、特定の機能が使用されたか否かを判別する（ステップ２０１）。使用されたと判断された場合（ステップＳ２０１／ＹＥＳ）、使用された機能を特定し、その使用機能の管理データ（登録日時、使用回数）を更新する（ステップ２０２）。使用されていないと判断された場合（ステップＳ２０１／ＮＯ）、次の処理に進まない。
【００３４】
図３に示すように、例えば、機能「項目１１」が使用されたとすると、登録日時が「日時１１＿２」、使用回数が「２回」に更新される。
【００３５】
そして、管理データの中に、使用機能の登録日時から任意に設定された期間内の登録日時である機能があるか判別する（ステップ２０３）。該当する機能が有ると判断された場合（ステップ２０３／ＹＥＳ）、使用回数を比較し、並び替えを実施する（ステップ２０４）。
【００３６】
ここでは、機能「項目６」と「項目９」が該当することが確認される（例として、「登録日時６」と「登録日時９」を設定期間内としている）。該当する機能「項目６」、「項目９」について、使用回数を比較し、項目の並び替えを実施する。
【００３７】
機能「項目６」は使用回数「３回」、機能「項目９」は使用回数「４回」であり、機能「項目１１」の使用回数「２回」の方が少ないため、機能「項目１１」は、機能「項目６」と「項目９」の下に移動することになる（「項目６」と「項目９」の並び替えは行わない）。
【００３８】
該当する機能が無い場合は、使用機能を管理データのＮｏ１に移動する（ステップ２０５）。該当しない機能は管理データをそれぞれ一つ下に移動する（ステップ２０６）。機能「項目２」以降は「日時１１＿２」から一定期間外であるため、機能「項目２」・・「項目１０」の８項目をそれぞれ一つ下に移動する。
【００３９】
そして、管理データＮｏ１〜Ｎｏ１０の項目でメニューの再構成を実施する（ステップ２０７）。
【００４０】
このため、メニュー画面の表示としては３番目に機能「項目１１」が追加され、機能「項目２」から「項目５」の７項目が一つ下に移動する。そして、機能「項目１０」が削除されることになる。
【００４１】
上記では、使用機能の登録日時から、ユーザにより任意に設定された期間内の登録日時である機能を該当機能としており、期間を短くした場合は最近使用した機能項目を重点的に画面に表示するようになり、期間を長くした場合は良く使用する機能項目を重点的に画面に表示するようになる。
【００４２】
本実施形態によれば、使用機能との並び替えの対象となる機能を決定するための期間を可変にすることにより、期間を短くした場合は最近使用した機能を重点的に画面に表示するように、期間を長くした場合はよく使用する機能を重点的に画面に表示するようにできるという効果がある。
【００４３】
また、最近使用した機能をメニュー画面内に表示するとともに、使用回数の多い機能は画面から削除されることなく、常に画面の上の方に配置することができ、少ないキー操作で簡単に機能を呼び出すことができる。
【００４４】
（第２実施形態）
上述した第１実施形態では、表示する項目を１０項目、機能設定類、ツール類の項目を１５項目として説明していたが、本実施形態では、項目数は任意の数に固定するとする。
【００４５】
その他は、第１実施形態の処理動作と同様とし、使用機能の登録日時から一定期間内に使用されている機能については、使用回数を参照し、並び替えを行う。
【００４６】
本実施形態では、表示する項目数、機能設定類、ツール類数に限定されることはなく、第１実施形態の効果と同様、最近使用した機能をメニュー画面に表示するとともに、使用頻度の多い機能についても削除されずに、画面の上の方に表示することができ、少ないキー操作で簡単に機能を呼び出すことができる効果を有する。
【図面の簡単な説明】
【００４７】
【図１】本実施形態の通信装置の構成を示すブロック図である。
【図２】本実施形態の通信装置の処理を示すフローチャート図である。
【図３】本実施形態の通信装置の管理データを示す図である。
【図４】従来の通信装置の処理を示すフローチャート図である。
【図５】従来の通信装置の管理データを示す図である。
【符号の説明】
【００４８】
１    表示部
２    レシーバ
３    制御部
４    表示操作部
５    無線部
６    マイク
７    スピーカ部
８    メモリ部
【図１】
2008278252.tif 000003
【図２】
2008278252.tif 000004
【図３】
2008278252.tif 000005
【図４】
2008278252.tif 000006
【図５】
2008278252.tif 000007